Podtech/llm-jp-corpus-v4-ja_patent huggingface dataset:
(57)【要約】【課題】窓・ポケット・仕切りを設け、伸縮性のあるカバーで保護する収納箱を提供する。【解決手段】開閉可能な収納箱の前面に袋状の窓を設け、上部や側面に仕切りの付いたポケットを設け、仕切り板を有し、蓋は磁石又は面テープにて固定し、収納箱全体を伸縮性のあるカバーで包み、保護することを特徴とした本・衣類・その他を収納する窓付き収納箱。【選択図】図１
2010137912.tif 000002
【特許請求の範囲】
【請求項１】
収納箱本体にポケット状の窓を設け、内部に仕切りと、小物・防虫剤等収納可能なポケットを設け、名札を入れるポケットを設けたことを特徴とした衣類・本・その他を収納する窓付き収納箱。
【請求項２】
収納箱本体の保護と中の収納物が飛び出すのを防ぐため伸縮性のある布地又はゴム状のカバーで覆ったことを特徴とした請求項１の衣類・本・その他を収納する窓付き収納箱。
【発明の詳細な説明】
【技術分野】
【０００１】  本発明は何が入っているか一目でわかるように収納箱に窓を設け、箱内部にポケット・仕切りを設け、季節ごとに衣類を入れ替えする煩わしさを解消し、そのままたんす代わりや本箱として使え、引越し時には梱包する事なく、そのまま運搬が可能な収納箱に関するものである。
【背景技術】
【０００２】従来窓を設けた収納箱があった。（特許文献１参照）
【特許文献１】  特開平２００４−１７５４５４号公報
【発明の開示】
【発明が解決しようとする課題】
【０００３】  そのために次のような問題点があった。
小さな窓のため中の収納物がきちんと確認できない。箱の大きさが衣類の収納には小さくて不向きである。衣類・その他を収納可能で中を確認できる大きめの窓を有する収納箱はなかった。
【課題を解決するための手段】
【０００４】  開閉可能な収納箱の前面に袋状の窓を設け、箱内部に仕切りの付いたポケットを設け、外側にもインデックス用ポケットを設ける。箱内部には、仕切り板を有し、蓋は磁石または面テープにて固定し、収納箱全体を伸縮性のあるカバーで包んで保護する。以上を特徴とする衣類・本・その他を収納する窓付き収納箱である。
【発明の効果】
【０００５】  この収納箱は窓が付いている事により、衣類・本・その他の収納物の確認が一目ででき、衣類の収納の場合は、夏物・冬物と季節ごとに入れ替える必要もなく、積み重ねてたんす代わりに使用できる。本の場合はそのまま箱ごと本棚にセットする事により、種類別にまとめ易いので、整理整頓がしやすく、埃や日やけでの変色を防ぐ効果もある。引越し時も衣類や本の入れ替え・梱包をする事なく、そのまま持ち運びができる収納箱である。学生・単身赴任者やスペースの確保が難しい狭い部屋等に最適である。
【発明を実施するための最良の形態】
【０００６】  以下、本発明の実施の形態について説明する。
（イ）収納箱本体（１）は開閉できるようになっていて、前面に袋状の透明な素材を使った窓（２）を設ける。そのため中の収納物が一目で確認できるが、収納物を見せたくない場合や日やけを防ぎたい場合は、袋状になった窓（２）の部分に紙や布地その他の物を入れて目隠しをする。
（ロ）収納箱の上部又は側面に防虫剤やメモ書きなどを収納できるよう仕切りの入ったポケット（９）を設ける。ポケットには（ホ）に記載のカバー（８）も収納する。
（ハ）収納箱の内部に用途に応じて仕切り板（５）を設ける。衣類の収納の場合は仕切り板（５）を使用。仕切り板（５）を使用しない場合は逆さにして収納可能である。
（ニ）上蓋（６）は磁石又は面テープの留め具（４）で固定するようになっている。
（ホ）伸縮性に富んだ布地のカバー（８）で収納箱本体（１）全体を包む事によって、引越し時に収納物がとびだしたり、埃が付いたりするのを防ぐ事ができる。
（ヘ）収納箱の外側にインデックスとしての紙を入れられるインデックス用ポケット（７）を設ける。
本発明は以上の構成で、これを実際に使用する時は本棚の中に収納箱本体をそのまま置いて使用する。衣類の収納の場合は押入などに積み重ねておくこともできる。引越しの際はカバー（８）をスッポリかぶせて運搬する。内部のポケット（９）にはカバー・防虫剤・その他の物を入れて使用する。
【図面の簡単な説明】
【０００７】
【図１】本発明の分解斜視図
【図２】本発明の箱の斜視図
【図３】本発明のカバー使用の斜視図
【図４】本発明の内部の斜視図
【符号の説明】
【０００８】  （１）本体
（２）窓
（３）持ち手
（４）留め具
（５）仕切り板
（６）上蓋
（７）インデックス用ポケット
（８）カバー
（９）ポケット
【図１】
2010137912.tif 000003
【図２】
2010137912.tif 000004
【図３】
2010137912.tif 000005
【図４】
2010137912.tif 000006
(57)【要約】【課題】２方向出入ロエレベーターにおいて、かご内が満員などの状況で運転盤操作者が背面側ドアの乗降を確認できない状態でも、より少ない構成部品でテレビモニターが映す映像の出入口方向が直感的にわかり視認性のよい内監視装置を備えたエレベーター乗りかごの監視装置を提供することにある．【解決手段】２方向出入ロエレベーターにおいて両方の出入口が映るように天井に設置するテレビカメラ６と正面側出入口の近傍に設置した運転盤３ａの上部に正面側出入口が上に映るように取り付けられたテレビモニター４ａと、前述の出入口と相反する方向に設けた背面側出入口の近傍に設置した運転盤３ｂの上部に前述のテレビモニター４ａと上下を反対に取り付け背面側出入口が上に映るようにテレビモニター４ｂを取り付ける構成としたものである。【選択図】図１
2010137980.tif 000002
【特許請求の範囲】
【請求項１】
一方の出入口と相反する方向にもう一方の出入口を有するエレベーターで乗客の乗降状況を確認する監視手段を備えた２方向出入ロエレベーターにおいて、天井に取り付けられたテレビカメラと、正面側出入口の近傍に設置された操作盤の直上部に取り付けられたテレビモニターと、背面側出入口の近傍に取り付けられた運転盤の直上部に前述の正面側テレビモニターと取り付け方向のみを上下逆さまに設置したテレビモニターから成るエレベーター乗りかごの監視装置
【発明の詳細な説明】
【技術分野】
【０００１】
本発明は、２ケ所以上の出入口を有するエレベーターにおいてエレベーター利用者が乗降している出入口と相反する出入口の近傍に設置された操作盤を運転盤操作者が操作する際に、背面の状況を容易に確認でき、安全にエレベーターを利用することが可能なエレベーター乗りかごの監視装置に関する。
【背景技術】
【０００２】
一般に、背面の状況を把握するため鏡を設置しているものが知られている。
【０００３】
また、テレビカメラを使用した例として特開平８−１５７１５５号公報に記載されているように天井に取り付けたテレビカメラと出入口と反対の側板にテレビモニターを取り付けた構造となっていた。
【特許文献１】特開平８−１５７１５５号公報
【発明の開示】
【発明が解決しようとする課題】
【０００４】
しかし、鏡を２方向出入ロエレベーターに適用した場合、出入口上部に小さい鏡しか取り付けられず、視認性に劣る。また、上記の発明によれば、テレビカメラが出入口に向いているため、テレビカメラの背面がテレビモニターに映らない。また、２方向出入ロエレベーターに適用した場合、２個のテレビカメラと各々のテレビカメラに接続したテレビモニターが必要である。
【０００５】
本発明の目的は、２方向出入ロエレベレターにおいてより少ない構成部品で、かつテレビモニターが映す映像の出入口方向が直感的にわかり視認性のよい監視装置を備えたエレベーター乗りかごの監視装置を提供することにある。
【課題を解決するための手段】
【０００６】
本発明は、上記目的を達成するためにエレベーター運転盤操作者が背面出入口を確認できる監視装置を備えたエレベーター乗りかごにおいて、前記の確認手段は、２方向出入ロエレベーターの両方の出入口が映るように天井に設置するテレビカメラと正面側出入口の近傍に設置した運転盤の上部に正面側出入口が上に映るように取り付けられたテレビモニターと、前述の出入口と相反する方向に設けた背面側出入口の近傍に設置した運転盤の上部に前述のテレビモニターと上下を反対に取り付け背面側出入口が上に映るようにテレビモニターを取り付ける構成としたものである。
【発明の効果】
【０００７】
本発明によれば、かご内が混み合って運転盤操作者が振り返れない状況にあっても運転盤の上部に視線を移すだけで背面出入口の状況を確認することができ、効率よく扉の閉じ釦を操作することが可能になり、無駄な扉の開時間を短縮することで効率よくエレベーターの運行を行うことができる。また、同一の映像を映したテレビモニターを使用し一方をもう一方と逆さまに取り付けることで、映像を反転させるなどの機器を必要とせず、少ない構成部品で安価にエレベーター乗りかごの監視装置を提供することができる。
【発明を実施するための最良の形態】
【０００８】
図１は２方向出入ロエレベーターにおいて正面側テレビモニター４ａと背面側テレビモニター４ｂと天井５に取り付けられたテレビカメラ６を備えたエレベーター乗りかごの側面断面図、図２は図１のテレビカメラで撮影した映像、図３は図１のＡ−Ａ線に沿う断面図、図４は図３のテレビモニター４ａの映像詳細図、図５は図１のＢ−Ｂ線に沿う断面図、図６は図５のテレビモニター４ｂの映像詳細図である。
【０００９】
図１において、正面側ドア１ａと正面側側板２ａとその側板に取付けられた正面側運転盤３ａとを備え、正面側上部でかつ視線の届く範囲に正面側テレビモニター４ａを取り付け、また前述のドアと対向する側に設けられた背面側ドア１ｂと背面側側板２ｂとその側板に取付けられた背面側運転盤３ｂとを備え、その背面上部に、前述の正面側テレビモニターと同様に背面側テレビモニター４ｂを取り付けた。また、天井５に床面を正面になるようにかつ前述の２つの出入口が撮影可能なようにテレビカメラ６を取り付け、その撮影映像を配線７にてテレビモニター４ａ、４ｂの両方に同一映像を送信する。テレビカメラ６の撮影映像を図２に示す。図３において、正面側運転盤３ａの直上部に設置されたテレビモニター４ａは図４に示す様に正面側出入口１ａが上に映るように設置し、また、図５において、テレビモニター４ａと同一の映像を映しかつテレビモニター４ａとは上下逆さまになる様に背面側テレビモニター４ｂを背面側運転盤３ｂの直上部に設置し、背面側テレビモニター４ｂには図６に示す様に背面側ドア１ｂが上に表示されるような構造とした。
【図面の簡単な説明】
【００１０】
【図１】監視装置を設置したエレベーター乗りかごの側面断面図である。
【図２】テレビカメラ６の撮影映像を示す図である。
【図３】図１のＡ−Ａ断面図である。
【図４】図３のテレビモニター４ａの映像を示す図である。
【図５】図１のＢ−Ｂ断面図である。
【図６】図５のテレビモニター４ｂの映像を示す図である。
【符号の説明】
【００１１】
１ａ  正面側ドア
１ｂ  背面側ドア
２ａ  正面側側板
２ｂ  背面側側板
３ａ  正面側運転盤
３ｂ  背面側運転盤
４ａ  正面側テレビモニター
４ｂ  背面側テレビモニター
５  天井
６  テレビカメラ
７  配線
【図１】
2010137980.tif 000003
【図２】
2010137980.tif 000004
【図３】
2010137980.tif 000005
【図４】
2010137980.tif 000006
【図５】
2010137980.tif 000007
【図６】
2010137980.tif 000008
(57)【要約】【課題】生ごみ等生活廃棄物及び上・下水汚泥等を含む産業廃棄物全般に対しての焼却灰等を１３００℃以上の高温で溶融したものを冷却、固化させたものである溶融スラグにより、園芸材、一般家庭商品や学校等の教材として使用できる着色砂を提供する。【解決手段】溶融スラグに天然鉱石などを含んだ体に優しい着色剤を塗布することで抗菌・防臭作用が働くとともに植物に対しては育成の促進、保持し、防ダニ剤等により家庭内での環境汚染を防止する。【特許請求の範囲】
【請求項１】
生ごみ等生活廃棄物及び上・下水汚泥等を含む産業廃棄物全般に対しての焼却灰等を１３００℃以上の高温で溶融したものを冷却、固化させたものである溶融スラグに天然鉱石を含んだ着色剤を塗布したリサイクル砂
【請求項２】
前記着色剤に防ダニ及び忌避効果を含む請求項１に記載のリサイクル砂
【発明の詳細な説明】
【技術分野】
【０００１】本発明は、資源の循環を促進するためにごみ焼却灰、上・下水汚泥等を含む産業廃棄物、鉄鋼製造過程より生ずる溶融スラグを原料とし、天然鉱石などを含んだ体に優しい着色剤を利用したリサイクル砂に関するものである。【０００２】溶融スラグとは生ごみ等生活廃棄物及び上・下水汚泥等を含む産業廃棄物全般に対しての焼却灰等を１３００℃以上の高温で溶融したものを冷却、固化させたものである。【０００３】天然鉱石とは主成分が天然放射性希土類鉱物及び常温遠赤外線放射鉱物とするマイナスイオンセラミックパウダーを言う。
【背景技術】
【０００４】ごみ焼却灰、上・下水汚泥等を含む産業廃棄物、鉄鋼製造過程より生ずる溶融スラグは現在、従来の資材の混合物として土木、建築材料に使用されている。【０００５】天然鉱石は他の塗料等の混合物として利用されているが溶融スラグに混合利用したものはない。
また、防ダニ剤を含んだものもない。【０００６】他方ではＪＩＳ規格にて管理され、かつ、溶出試験などで安全性が確認されているにもかかわらず、一般家庭商品としての使用はされていない状況である。
環境的にも資源を損なわず、一般家庭から現資源のリサイクル化を促進することで地球温暖化防止にもつなげなければならない。
【特許文献１】特開２００２−１６６１４０号公報
【特許文献２】特開２００３−２４６４８号公報
【発明の開示】
【発明が解決しようとする課題】
【０００７】そのため、以下のようなことがあった。
（イ）一般的に園芸材及び教育、美術教材他に使用される砂及び土類は開発資源が必要である。
（ロ）廃棄物を利用することで一般消費者に与える印象が悪いため、良い印象を持ってもらうための特徴をもって認知度を広める必要がある。
（ハ）資源を守るためにも、より、リサイクル化が必要である。本発明は、以上の問題点を解決するためになされたものである。
【課題を解決するための手段】
【０００８】一般砂や開発資源の代わりに一般家庭用ごみなどから成る溶融スラグを使用することで需要の安定を図るとともに環境破壊を行わずに良質な砂を製品化することができる。【０００９】溶融スラグを着色材にて着色する。【００１０】使用する着色材に天然鉱石を含む。【００１１】使用する着色材に防ダニ剤を含む。
【発明の効果】
【００１２】国内および各都道府県市町村から発生する溶融スラグを用いることで、常に資源を循環することで環境的に非常に優しく、地域社会に貢献できる。【００１３】着色することにより利用範囲が広がり一般家庭園芸材や学校、美術教材他、多方面に利用できる。【００１４】天然鉱石を着色材混入することで抗菌、防臭作用が働くとともに植物に対しては育成の促進、保持に効果がある。【００１５】防ダニ剤を着色材に混入することで、植物などを室内で育成する際、しばしば問題となるダニの発生を抑えることができる。【００１６】一般家庭や下水汚泥などの廃棄物からなる溶融スラグは酸化アルミニウム及び酸化カルシウムなど含有し、アルカリ性を示すため植物育成の促進効果がある。【００１７】一般家庭、学校や多方面に一般廃棄物などからなる溶融スラグを利用することで、資源を損なわないことが地球温暖化防止につながることを伝えることで子供に対する教育にも役立つとともに一般家庭から社会にまで貢献することができる。
【発明を実施するための最良の形態】
【００１８】仕様用途に応じて溶融スラグの粒度を調整する。【００１９】粒度が５ｍｍ以上を含むものは大粒として主に園芸用に使用する。【００２０】粒度が５ｍｍ以下のものは園芸、教材等多方面に利用する。【００２１】園芸品は主に植木や庭のガーデニング材、盆栽などに使用する。【００２２】教材等は主に小学校から大学まで使われる工作、美術の教材や美術、芸術画材その他工芸品に使用する。【００２３】溶融スラグに塗布する着色材の配合割合は使用色により異なるがおおむね以下のとおりとする。
（イ）      配合率１００％のうち、エマルジョンベースをおおむね６０〜８０％とする。
（ロ）      配合率１００％のうち、天然鉱石をおおむね１５〜２５％とする。
（ハ）      配合率１００％のうち、顔料ペーストをおおむね５〜２０％とする。【００２４】着色材は有機質顔料及び無機質顔料とする。【００２５】着色材は接着剤を含有することが望ましい。【００２６】接着剤は主に溶剤樹脂系及び水性樹脂系とする。
【産業上の利用可能性】
【００２７】本願発明は廃棄物の再利用に活用することができる。
通常の砂とほとんど同じ形態なので幅広い産業分野で利用できる。
また、色彩や粒子も選別できるので老若男女問わず、使用しながら資源の循環を通じて、地球温暖化防止に寄与できる。
(57)【要約】【課題】  本発明は、太陽熱だけを燃料とした太陽熱発電・浄水機である。  従来の火力発電は、水を沸騰させる手段として、石油、液化天然ガス（ＬＮＧ）などの化石燃料を燃料とするが、その際、有害物害であるＮｏｘ（窒素酸化物）やＳｏｘ（硫黄酸化物）、さらに地球温暖化の要因といわれているＣｏ２（二酸化炭素）を排出してしまうために、有害物質を排出しない、また、浄化機能も兼ね備えた太陽熱発電・浄水機を提供する。【手段】  太陽熱を太陽炉で、水を溜めておいた容器へ集中させて沸騰させる。（容器の太陽熱を集中させる部分を黒色にして、吸収率を高めて、より効率よく沸騰するようにする。）発生した水蒸気の圧力でタービンを回して発電する。  また、水を水蒸気へ気化する事により、浄水機能も兼ね備えている。【選択図】図１
2010137213.tif 000002
【特許請求の範囲】
【請求項１】
太陽熱を太陽炉で、水を溜めておいた容器へ集中させて沸騰させる。（容器の太陽熱を集中させる部分を黒色にして、吸収率を高めて、より効率よく沸騰するようにする。）発生した水蒸気の圧力でタービンを回して発電する。
また、水を水蒸気へ気化する事により、浄水機能も兼ね備えている。
本発明は以上の構成よりなる太陽熱発電・浄水機である。
【発明の詳細な説明】
【技術分野】
【０００１】  本発明は、太陽熱で発電し、また浄水の機能も兼ね備えた太陽熱発電・浄水機に関するものである。
【背景技術】
【０００２】  従来、火力発電は、石油、液化天然ガス（ＬＮＧ）などの化石燃料を燃焼させて水を沸騰させて、発生した水蒸気の圧力でタービンを回して発電する発電方法という事は知られている。
【発明の開示】
【０００３】  火力発電には次のような問題点があった。
石油や石炭などの化石燃料を燃焼する時に、有害物質であるＮｏｘ（窒素酸化物）やＳｏｘ（硫黄酸化物）、さらに地球温暖化の要因といわれているＣｏ２（二酸化炭素）を排出する。
本発明は、これらの問題点を解決するためになされたものである。
【課題を解決するための手段】
【０００４】  水を沸騰させる手段として、太陽熱を太陽炉で、水を溜めておいた容器へ集中させて沸騰させる。（容器の太陽熱を集中させる部分を黒色にして、吸収率を高めて、より効率よく沸騰するようにする。）発生した水蒸気の圧力でタービンを回して発電する発電する。
本発明は以上の構成よりなる太陽熱発電・浄水機である。
【発明の効果】
【０００５】  本発明を使えば、有害物質であるＮｏｘ（窒素酸化物）やＳｏｘ（硫黄酸化物）さらに、地球温暖化の要因といわれているＣｏ２（二酸化炭素）を排出せずに、太陽熱だけを燃料に発電が可能になる。
また、沸騰させる際、水を水蒸気へ気化する事により、浄水機能も兼ね備わっているので、沸騰させる水を生活・工業廃水を活用すれば、川や海へ流す生活・工業廃水をコントロールする事が可能になる。
【発明を実施するための最良の形態】
【０００６】  以下、本発明の実施の形態を説明する。
（イ）太陽炉（１）で太陽熱を集中させる部分に容器（２）を設ける。
（ロ）容器（２）の太陽熱を集中させる部分を、黒色にして、吸収率を高めて、より効率よく沸騰するようにする。
（ハ）容器（２）の天井に水蒸気の逃げ道となる管（３）を設ける。
（ニ）管（３）の中に発電機（５）と連結したタービン（４）を設ける。
本発明は以上の構成よりなる。
本発明を使用する場合は、容器（２）に沸騰させる
水を溜め、太陽炉（１）に太陽熱を注ぐ
【図面の簡単な説明】
【０００７】
【図１】本発明の全体図
【符号の説明】
【０００８】  （１）太陽炉、（２）容器、（３）管、（４）タービン、（５）発電機
【図１】
2010137213.tif 000003
(57)【要約】【課題】端部を繋いだ一対の箸の下側に人差し指と中指で挟みこむフィンを持ち、上側の窪みを親指で押すことで親指一本で正確に挟むことが出来る箸を提供する。【解決手段】上側箸と下側箸を根元で結合し、上側箸の中央部に親指を押し付ける窪みとフックを設け、下側箸の中央部に挟みこみ用のフィンを設け、結合部から少し先の部分までは弾力性を持たせ、そこから先端部までしっかりした硬さを持たせた、親指一本で正確に挟むことができる一対の箸。【選択図】図１
2010137032.tif 000002
【特許請求の範囲】
【請求項１】
上側箸と下側箸を根元で結合し、上側箸の中央部に親指を押し付ける窪みとフックを設け、下側箸の中央部に挟みこみ用のフィンを設け、結合部から少し先の部分までは弾力性を持たせ、そこから先端部までしっかりした硬さを持たせた、親指一本で正確に挟むことができる一対の箸。
【発明の詳細な説明】
【技術分野】
【０００１】  本発明は、端部を繋いだ一対の箸の下側に人差し指と中指で挟みこむフィンを設け、上側の窪みを親指で押すことで親指一本で正確に挟むことができる箸の提案である。
【背景技術】
【０００２】  従来、箸は一対の棒を親指と薬指で固定し、もう一方を人差し指と中指と親指の先端で挟み、動かすことで細かなものも挟むことができる。
また、正確に箸の操作が出来ない者が使う際の矯正器具として箸に接続する補助器具の発明（特許文献１参照）や、手に障害を持つ人や箸を上手に使えない外国人のために考案された、閉じた状態を保持し、開く時に力を入れて使うための補助具の発明（特許文献７参照）が知られている。
【特許文献１】特開２００８−１４２３０９号公報
【特許文献２】特開２００８−１４９０９５号公報
【特許文献３】特開２００８−０５５０８４号公報
【特許文献４】特開２００８−０４９１０６号公報
【特許文献５】特開２００８−０１８６３０号公報
【特許文献６】特開２００７−０９８０７７号公報
【特許文献７】特開２００７−００７３０３号公報
【発明の開示】
【発明が解決しようとする課題】
【０００３】  それには、次のような問題があった。
（イ）菜箸など先の長いものを扱う時先端が揃わず挟みにくい場合が多く、端部を紐などで結んだものもあるが、紐がからまったりしてかえって使いにくくなってしまう。
（ロ）菜箸など先の長いものを使う際、あるいは重いものや大きいものを挟む時、そして魚などをほぐす時、力の弱い女性や、腱鞘炎などで手を傷めた人は手が痛くなってしまう。
（ハ）高齢者や指先に障害を持つ人が使う場合、矯正する器具を用いても先端は揃うが指で挟んだ箸を動かしたり、閉じた状態を保持するばねの力に対抗して開いたりするのは、力を入れることが困難なため、食事をするときに苦痛を感じてしまう。
【課題を解決するための手段】
【０００４】  上側箸と下側箸を根元で結合し、上側箸の中央部に親指を押し付ける窪みとフックを設け、下側箸の中央部に挟みこみ用のフィンを設ける。結合部から少し先の部分までは弾力性を持たせ、そこから先端部ましっかりした硬さを持たせた、親指一本で正確に挟むことが出来る一対の箸である。
【発明の効果】
【０００５】  端部が連結した一対の箸の開いた状態から親指の力だけで正確に挟むことができるため、高齢者や力の弱い人、手先障害を持つ人などが楽に快適に箸を使うことが出来る。また端部が連結しているため、使用していない時もばらばらにならず、端部と下側のフィンが脚となるため、箸の先端が床に着かないため、清潔に使うことが出来る。中立位置の箸の開きより大きいものを挟む時には、上側のフックを親指で押し上げることで楽に大きものを挟むことができる。
【発明を実施するための最良の形態】
【０００６】  以下、本発明の実施の形態について説明する。
（イ）結合部（１）を中心にしたＶ字形状の弾力性のある端部（２）に上側箸（３）と下側箸（４）を取り付ける。
（ロ）上側箸（３）の中央部には、親指を押し付ける窪み（５）とフック（６）を設ける。
（ハ）下側箸（４）の中央部には、挟みこみ用のフィン（７）を設ける。
本発明は、以上のような構成となっている。
これを使用するときは、（図１）の挟みこみ用のフィン（７）を人差し指と中指で挟み、親指を押し付ける窪み（５）を親指で押し付けることで、結合部（１）を軸に弾力性のある端部（２）が曲がり（図２）のように物を挟む状態になる。中立の状態の巾より大きいものを挟むときはフック（６）を親指で押し上げることで先端が広がり、より大きいものを挟むことが出来る（図３）。使用しないときは挟みこみ用のフィン（７）と結合部（１）が脚となり、先端が床面に着かない状態で置くことが出来る（図４）。
【図面の簡単な説明】
【０００７】
【図１】本発明の斜視図
【図２】本発明の斜視図
【図３】本発明の斜視図
【符号の説明】
【０００８】  １結合部
２弾力性のある端部
３上側箸
４下側箸
５親指を押し付ける窪み
６フック
７挟みこみ用のフィン
【図１】
2010137032.tif 000003
【図２】
2010137032.tif 000004
【図３】
2010137032.tif 000005
【図４】
2010137032.tif 000006
【手続補正書】
【提出日】平成21年2月27日(2009.2.27)
【手続補正１】
【補正対象書類名】明細書
【補正対象項目名】０００７
【補正方法】変更
【補正の内容】
【０００７】
【図１】本発明の斜視図
【図２】本発明の斜視図
【図３】本発明の斜視図
【図４】本発明の側面図
(57)【要約】【課題】  マスクは特殊加工されたものも含め、ほとんど鼻のまわりに隙間あ生じることで病原体または塵挨などを防ぐ効果が低く、冬は眼鏡が曇る。【解決手段】  マスク（１）の上端に折り畳みフィルター（２）を固定したものの中心を鼻の位置に合わせ、ゴムひも（３）を耳に掛けることで、折り畳み多層フィルター（２）が内面でよりたわみ又折り畳み多層フィルター持ち上げ部分（４）により鼻のまわりの隙間を防ぐ効果がある。【選択図】図１
2010137034.tif 000002
【特許請求の範囲】
【請求項１】
マスクに折り畳み多層フィルターを重ね合わせてゴムひもで装着することで、折り畳み多層フィルターが内面でよりたわみ鼻のまわりの隙間をふさぐことを特徴とする隙間ガードマスク。
【発明の詳細な説明】
【技術分野】
【０００１】  本発明は鼻や口をおおうマスクに関するものである。
【背景技術】
【０００２】  従来、マスクは装着するとほとんど鼻のまわりに隙間が生じてしまう、中には特殊加工されたマスクもあるがやはり隙間が生じる。
【発明の開示】
【発明が解決しようとする課題】
【０００３】  そのために、次の問題点があった。マスクは特殊加工されたものも含め、ほとんど鼻のまわりに隙間が生じることで病原体または塵挨などを防ぐ効果が低く、冬は眼鏡が曇る。本発明はこれらの問題を解決するためになされたものである。
【課題を解決するための手段】
【０００４】  マスクに折り畳み多層フィルターを重ね合わせてゴムひもで装着することで、折り畳み多層フィルターが内面でよりたわみ鼻のまわりの隙間をふさぐことを特徴とする隙間ガードマスク。
【発明の効果】
【０００５】  マスクに折り畳み多層フィルターを重ね合わせてゴムひもで装着することで、折り畳み多層フィルターが内面でよりたわみ鼻のまわりの隙間をふさぐことで病原体または塵挨などを防ぐ効果があり、眼鏡が曇るのも防げる。
【発明を実施するための最良の形態】
【０００６】  以下本発明を実施するための最良の形態について説明する。
マスク（１）の上端に折り畳み多層フィルター（２）の一層目の上端と折り畳みフィルター（２）の両端を固定する。
本発明は以上のような構造で、これを装着するときはマスク（１）の上端に折り畳みフィルター（２）を固定したものの中心を鼻の位置に合わせ、ゴムひも（３）を耳に掛けることで、折り畳み多層フィルター（２）が内面でよりたわみ鼻のまわりの隙間をふさぐことで病原体または塵挨などを防ぐ効果がある。
【図面の簡単な説明】
【０００７】
【図１】本発明の斜視図。
【図２】本発明の折り畳み多層フィルターの斜視図。
【図３】本発明の他の実施例を示す斜視図
【符号の説明】
【０００８】  １マスク
２折り畳み多層フィルター
３ゴムひも
４折り畳み多層フィルター持ち上げ部分
【図１】
2010137034.tif 000003
【図２】
2010137034.tif 000004
【図３】
2010137034.tif 000005
(57)【要約】【課題】基礎化粧料の有効成分を、皮膚に充分に浸透させることができ、その有効成分によって、優れた美容効果を得ることのできる美容施術方法を提供する。【解決手段】顔肌に塗布した基礎化粧料が就寝中に蒸発乾燥、あるいは寝具への付着など、これらを防ぐためにも、立体就寝フェイスマスクの使用は、有効と考える。【選択図】図１
2010137036.tif 000002
【特許請求の範囲】
【請求項１】
主に、綿素材を用い、人の顔面部分の正面視において、額から顎先に至る形状、更に、フェイスラインまで被うように形成したことを特徴とする立体就寝フェイスマスク。
【請求項２】
請求項１に記載した、立体就寝フェイスマスクに用いる綿素材は、表布と裏布の二重構造とする。
【請求項３】
請求項２に記載した、立体就寝フェイスマスクに用いる綿素材の、表布と裏布の間に、縦横に補強のための芯を入れ、安定した形状を保つことを、特徴とする。
【請求項４】
人の、顔面部分の正面視において、立体就寝フェイスマスク中央部の、鼻先から顎先にかけての部分に使用する綿素材として、安定した呼吸を確保するために、通気性の良いガーゼを用いることとする。
【請求項５】
請求項１ないし４に記載の、立体就寝フェイスマスクは、顔面装着部分から延長した、装着ベルトを設けることを特徴とする、立体就寝フェイスマスクである。
【発明の詳細な説明】
【技術分野】
【０００１】この発明は、就寝中の顔面の乾燥を防ぎ、顔肌の潤いを保持するために装着する、立体就寝フェイスマスクに関するものである。
【背景技術】
【０００２】従来、市販の美容フェイスマスクは、使い捨てのものが主であった。そこで、繰り返し洗浄でき、使用できる布製に着目し、発明に至ったものが、立体就寝フェイスマスクである。【０００３】上述の立体就寝フェイスマスクは、図１及び図３に記載の通り、顔面全体を被う形状になっている。【０００４】上述の通り、顔面全体を被う構造になっているので、従来のアイマスクとしての機能も得られる。【０００５】この、立体就寝フェイスマスクは、図３に記載の通り、顔面との間に空間ができる形状になっている。【０００６】上述の形状により、立体就寝フェイスマスク装着時の、外気による乾燥防止は固より、使用者の呼気の湿気により、更に顔面の潤いを保持できることを特徴としている。【０００７】図１の１，２，３と、図２の８，９には、通気性の良い綿布を使用する。【０００８】図１の４及び図２の５には、呼吸の安定確保を考え、ガーゼを使用する。【０００９】図２の６，７には、布が顔肌に触れることを考慮し、肌触りの良い綿スムースを使用する。【００１０】図１及び図２の１０，１１には、脱着がしやすいよう、マジックテープを使用する。【００１１】図１の１２及び図１、図２の１５は、ミシンによるステッチが施されている。【００１２】図１の１３には、立体性を保たせるため、柔軟性があるナイロン製の芯を使用する。【００１３】図２の１４には、立体性を保たせるため、柔軟性があるナイロン製の芯を使用する。
【発明が解決しようとする課題】
【００１４】従来、フェイスマスクとは、就寝時以外の時間に、顔肌への美容効果の手段として用いられることが主であった。
【００１５】しかし、その手段を毎日継続するには、使用に要する時間及びコストがかかる。
【課題を解決するための手段】
【００１６】そこで、就寝中の顔肌の乾燥防止、潤い保持、更には従来のフェイスマスク使用時にかかる時間及び、フェイスマスク購入にかかるコストの削減を兼ね備えたのが、この立体就寝フェイスマスクである。
【発明の効果】
【００１７】本発明の立体就寝フェイスマスクは、就寝前に、手持ちの化粧水、乳液等で顔面の手入れをした後、就寝時に装着する。
【００１８】この、立体就寝フェイスマスクは、顔面全体を被う構造になっているので、顔肌の乾燥防止、保湿は固より、従来の、アイマスクの機能も兼ね備えているとも言える。
【００１９】この、立体就寝フェイスマスクは、就寝時の外気による乾燥を防ぎ、就寝前に使用した基礎化粧品にも有効な効果をもたらせ、潤いを保持するものである。
【００２０】さらに、この立体の形状により、使用者本人の呼気の湿気によって、一段と顔肌の潤いを保持することができる。
【００２１】この、立体就寝フェイスマスクを使用することにより、顔肌に十分な保湿ができるため、乾燥による肌荒れ、皺防止になる。
【００２２】そして、この立体就寝フェイスマスクの使用で、顔面が潤うため、顔肌の肌理が整い、くすみも軽減する。
【発明を実施するための最良の形態】
【００２３】以下、本発明に係わる立体就寝フェイスマスクについて、図１及び図２を用いて説明する。【００２４】本実施形態における立体就寝フェイスマスクは、顔面中央部用表布図１の３と、ガーゼ４、さらに、右顔面用表布１と左顔面用布２によって構成されている。これらを、ミシンで縫合する。【００２５】上記の縫合の後、ミシンによるステッチ図１の１２を施し、そのステッチの間にナイロン製の形状補強芯１３を入れる。【００２６】図２のガーゼ５と、右顔面用裏布６、左顔面用裏布７をミシンにて縫合する。【００２７】上記の縫合後の裏布に、ナイロン製の形状補強芯図２の１４を裏面に縫合する。【００２８】上記の縫合後、右顔面用裏布図２の６と右側ベルト用布８、左顔面用裏布７と左側ベルト用布９をそれぞれ縫合する。【００２９】上記、［００２５］と［００２８］を中表にして合わせ、その全体の周囲を返し口１５センチメートルほどを除いて縫合する。【００３０】上記［００２９］で縫い残した返し口から中表の部分を引き抜き返し、表側にして、ミシンによるステッチ図２の１５を施す。【００３１】右側ベルト、左側ベルトのそれぞれに、マジックテープ図２の１０，１１をミシンで縫いつける。
【図面の簡単な説明】
【図１】本発明の立体就寝フェイスマスクを示す正面斜視図である。
【図２】図１の裏面正面図である。
【図３】立体就寝フェイスマスク装着時の側面図である。
【符号の説明】
１・・・右顔面用表布
２・・・左顔面用表布
３・・・顔面中央部用表布
４・・・表用ガーゼ
５・・・裏用ガーゼ
６・・・右顔面用裏布
７・・・左顔面用裏布
８・・・右側ベルト用布
９・・・左側ベルト用布
１０・・・マジックテープ
１１・・・マジックテープ
１２・・・ミシンによるステッチ
１３・・・ナイロン製の補強芯
１４・・・ナイロン製の補強芯
１５・・・ミシンによるステッチ
【図１】
2010137036.tif 000003
【図２】
2010137036.tif 000004
【図３】
2010137036.tif 000005
(57)【要約】【課題】調理鍋をガスコンロの上へのせて使用するとき、燃焼ガスは調理鍋の外面をなめて上昇したのち、周囲へ霧散するだけなので、調理鍋の熱吸収が悪く、熱効率が低い．さらに排ガスの余熱によって、夏期には室内の気温を高めている。  本発明は、調理鍋の熱吸収を高め、排ガスの余熱を吸収し、ガスの燃焼時間を短縮して、ＣＯ２の削減を目的とした調理鍋を提供する。【解決手段】調理鍋の立ち上がり周壁面の外側へ、その外径より少し大きい内径で調理鍋と同程度の高さのリング状タンクを設ける。リング状タンクには、蓋と取つ手と内部液体の取り出し口を設ける。【選択図】図１
2010137031.tif 000002
【特許請求の範囲】
【請求項１】
調理鍋の立ち上がり周壁面の外側へ、その外径より少し大きい内径で調理鍋と同程度の高さのリング状タンクを設け、リング状タンクには、蓋と取っ手と内部液体の取り出し口を設けたＣＯ２削減調理鍋。
【発明の詳細な説明】
【技術分野】
【０００１】  本発明は、ガスコンロの上へのせて使用する調理鍋の熱効率を高め、排ガスの余熱を吸収利用し、調理時間の短縮を可能にして、ＣＯ２を削減する調理鍋に関するものである。
【背景技術】
【０００２】  調理鍋を開放型のガスコンロの上へのせて使用した場合、燃焼したガスの火炎は調理鍋の外面をなめて上昇したのち、周囲へ霧散している。
【特許文献１】  特開２００６−２３８９９２
【発明の開示】
【発明が解決しようとする課題】
【０００３】  調理鍋をガスコンロの上へのせて使用するとき、燃焼ガスは調理鍋の外面をなめて上昇したのち、周囲へ霧散するだけなので、調理鍋の熱吸収が悪く、熱効率が低い。さらに排ガスの余熱によって夏期には室内の気温をたかめている。
本発明は、以上の問題点を解決するものである。
【課題を解決するための手段】
【０００４】  調理鍋の立ち上がり周壁面の外側へ、その外径より少し大きい内径で、調理鍋と同程度の高さのリング状タンクを設ける。リング状タンクには、蓋と取つ手と内部溶液の取り出し口をもうける。
以上の構成よりなるＣＯ２削減調理鍋。
【発明の効果】
【０００５】（イ）調理鍋の周囲へ霧散していた燃焼ガスが、調理鍋とリング状タンクとの狭い空間へ吸引されて上昇するので（煙突と同じ効果）、このとき排ガスの余熱が調理鍋内とリング状タンク内の水へ吸収されるので、熱効率が上がって１番目のＣＯ２の削減に役立つ。
（ロ）調理鍋内の水が沸騰したらガスを止めて、調理鍋を保温器へ入れて、調理鍋の外側へリング状タンク内の熱水を入れておくと、調理鍋内の具材が保温熱によって煮えるので、調理のためのガスの使用時間が短縮でき、ＣＯ２の削減に２番目の効果がある。
（ハ）調理鍋で具材を煮るとき、一般に調理鍋へ多めの水をいれて、調理鍋内の水が沸騰後も、暫くガスを燃焼させて煮物をつくる。即ち、調理鍋内の具材を沸騰水の中で煮ているが、具材は沸騰水の中でなくても、熱を加へ続ければ煮える。
（ニ）本発明では、調理鍋内へ具材だけを入れて調理鍋の温度が１００°Ｃ前後に達した後、ガスを止めて、調理鍋を保温器の中へ入れて具材を煮るので、調理鍋内へ水を入れなくてもよい。したがって調理鍋内の水を沸騰させ、さらにこの水を蒸発させるための燃焼ガスが不要となるので、ＣＯ２の削減に３番目の効果がある。
（ホ）夏期において、排ガスの保有熱量の低下によって、室内の冷房費を軽減でき、ＣＯ２の削減に４番目の効果がある。
（ヘ）調理鍋の底部から噴き出した火炎によって、調理者が火傷をしたり、調理者の袖へ引火した事故が起きているが、これらの事故が防げる。
【発明を実施するための最良の形態】
【０００６】  以下、本発明の実施の形態を説明する。
（イ）蓋（１）と取っ手（２）のついた調理鍋（３）の立ち上がり周壁面（４）の外側へ、その外径より少し大きい内径で、調理鍋（３）と同程度の高さのリング状タンク（５）を設ける。
（ロ）リング状タンク（５）には、蓋（６）、取っ手（７）、タンク内の液体取り出し口（８）を設ける。
（ハ）調理鍋（３）とリング状タンク（５）内へ水を入れて、同一水深にしたとき、リング状タンク（５）内の水量は、調理鍋（３）内の水量の半分以下となる割合の大きさとする。
本発明は以上のような構造である。
本発明を使用するときは、調理鍋（３）内へ具材だけ、またはそれに少量の水を入れる。
次にリング状タンク（５）内へ、調理鍋（３）内の其材の高さと同程度の高さまで水を入れてガスコンロへのせる。リング状タンク（５）の内側へ調理鍋（３）を置いて、ガスを燃焼させる。調理鍋（３）内の水が沸騰したらガスを止めて（具材によってはガスを止める時間を少し遅らせる）、調理鍋（３）を引き上げて保温器（９）へ入れ、余熱で具材を煮る。このときリング状タンク（５）内の熱水を、保温器（９）内へ入れた調理鍋（３）の外側へ入れると、さらにＣＯ２の削減に有効である。
【図面の簡単な説明】
【０００７】
【図１】本発明の断面図
【図２】本発明の平面図
【図３】保温器の断面図
【符号の説明】
【０００８】（１）調理鍋の蓋、（２）調理鍋の取っ手、（３）調理鍋、（４）調理鍋の周壁面、（５）リング状タンク、（６）リング状タンクの蓋、（７）リング状タンクの取っ手、（８）リング状タンクの液体取り出し口、（９）保温器、（１０）保温器内の空間
【図１】
2010137031.tif 000003
【図２】
2010137031.tif 000004
【図３】
2010137031.tif 000005
(57)【要約】【課題】従来のネイルアートは爪もしくは人工爪に装飾を施し美的効果を表現するに留まっており、本発明によりファッション性に加えリラックス効果も一緒に提供する。また、１つの人工爪で様々な美的効果を生む製品も無い。【解決手段】人工爪の中に空間を設け、上部に穴をあけることにより内部に液状物・粒状物を注入できるようにすることでその穴より液状物・粒状物を交換可能にした。フィルターの付いた栓（キャップ）をする、もしくは、気体を透過する材質を使用した栓をすることで内部の香りを放出することもできる。栓についてはフィルターが付いている、もしくは気体しか透過しない栓（キャップ）であるためどのような角度に傾けても内部の液体はこぼれない。【選択図】図１
2010137027.tif 000002
【特許請求の範囲】
【請求項１】
人工爪を２枚重ねる、もしくは樹脂中に空気を入れ、人工爪を形成。
ネイルチップの中に液状・粒状物が入る空間を作る。
重ねた人工爪の上部に小さい穴をあけ、液状・粒状物を入れ、樹脂・ゴム・木製の栓（キャップ）をする。
【請求項２】
請求項１で作ったネイルチップにアロマオイルを入れ、人工爪自体から香りを透過させるもしくは透過する素材でできた栓から透過させる事で屋外でも香りを楽しむことができる人工爪。
請求項１で作ったネイルチップに色の着いた流体・粒状物を入れる事により流動的な動きを楽しむことができる人工爪。
【請求項３】
栓を抜いて中の液状物・粒状物を交換できる。
【発明の詳細な説明】
【技術分野】
【０００１】本発明は人工爪を２枚重ね合わせる、もしくは樹脂中に空気を入れ人工爪を形成し、その中に空間を作りアロマオイル等の液状物や粒状物を入れ、香りや流動的な動きを繰り返し楽しむことができるネイルチップの製造方法に関するネイルアートの分野である。
【技術背景】
【０００２】従来、人工爪にカプセルを作りストーン等がカプセルの中で動く様なものや液状物が中に入ったネイルアートは見られたが、、中の液状・粒状物を交換して再利用できるものはなかった。
また、アロマの香り等を屋外で楽しめる人工爪も存在しなかった。
【発明の開示】
【発明が解決しようとする課題】
【０００３】本発明の目的は従来屋内のみで行われているアロマテラピーのリラックス効果を屋外でも得られる様に考えられた発明である。【０００４】また、中身を交換することにより様々な動きを楽しめ繰り返し使用できる人工爪の提供である。
【課題を解決するための手段】
【０００５】上記目的を解決するためにあらかじめくぼみをつける加工をした下部の人工爪にもう１枚人工爪を張り付ける事で爪の内部に空間を作る。【０００６】もしくはアクリル封入加工の様な方法であらかじめ空気のはいった材料を爪の形に成型することで爪の内部に空間を作る。【０００７】空間を作った人工爪の上部に穴を開け、そこから液状物・粒状物を注入し、樹脂やゴム・木などで作ったキャップ（栓）を付ける。
【発明の効果】
【０００８】本発明により得られる効果は液状物・粒状物を入れることにより視覚から得られる遊戯的な動きがあげられる。【０００９】アロマオイルや香水などの香料を入れることにより嗅覚からのリラックス効果を屋外でも得られる。【００１０】また、栓を抜き中身を交換することで色々な色彩や香りを楽しむことができる。
【発明を実施するための最良の形態】
【００１１】以下、本発明の実施の形態を図１〜図３に基づいて説明する。【００１２】図においては、１は本発明で作製された人工爪で２は内部に入った液体、３および４は栓（キャップ）、５は１の上部にあけた穴である。【００１３】図１を参照すると、図は人工爪を側面から見たものである。
本体１の内部に１の上部にあけた穴５より液体２を注入し穴５を３（内部に液体を漏らさないフィルターを備えた栓（キャップ））もしくは４（素材自体で気体のみを通す、例えばシリコンゴムやコルクの様な圧縮した木材）で封をする。【００１４】図２については図１を上部から見たものである。【００１５】図３については本発明の人工爪の装着後の手の図である。【００１６】図１〜図２の１本体の材質については一般的に採用されているＡＢＳプラスチック、ナイロン等で構成される。【００１７】２については液体を図に記載したが、粒状物を注入することもできる。【００１８】３および４の栓（キャップ）の材質は上記に示した通りシリコンゴムやコルクの様な木材で構成される。【００１９】３の栓（キャップ）については３自体は気体を透過させる必要はないので一般的なゴムやプラスチック、ポリプロピレンなどの材質でも構成できる。【００２０】３もしくは４のキャップをはずす事により内部の液体等を自由に交換することができる。
【実施例】
【００２１】例えば１の爪本体の内部にアロマオイルを入れるとする。
５の穴を３もしくは４の栓（キャップ）で蓋をすると３の内部にあいた穴を伝い、もしくは４自体をアロマオイルの香りが透過し外部に伝達する。
【産業上の利用可能性】
【００２２】本発明により従来室内のみで行われてきたアロマテラピーで得られるリラックス効果を外出先でも得ることができる。【００２３】その日の気分で中のアロマオイルを変えられるため様々な気分に対応でき、ストレスの軽減につながる。【００２４】また、様々な液状物・粒状物を交換して入れることで新たなデザインを構築できる。
【図面の簡単な説明】
【００２５】
【図１】  本発明の実施形態を示す人工爪の側面図
【図２】  本発明の実施形態を示す人工爪の上面図
【図３】  本発明の人工爪の装着図
【符号の説明】
【００２６】  １      人工爪
２      液体
３      栓（キャップ）
４      栓（キャップ）
５      穴
【図１】
2010137027.tif 000003
【図２】
2010137027.tif 000004
【図３】
2010137027.tif 000005
(57)【要約】【課題】軽量化とデザイン的理由から荷台を有しないスポーツ自転車や折りたたみ小径車は携帯品を置く場所が無い。シートポストにアダプターを用いて直接荷台フレームを取り付ける方法もあるが１箇所の接続では繊細なシートポスト素材を破損するだけでなく接続部が緩んでフレームが落下する、後輪にあたって擦れてしまう等の欠点が有った。【解決手段】荷台フレームをシートポストとサドルレールの２箇所で支え荷台部分にバック、ネット、ホルダー等を取り付けそれぞれの輪行目的に合った携帯品を収納できる様に工夫した。【選択図】図１
2010137834.tif 000002
【特許請求の範囲】
【請求項１】
シートポストとサドルレール又はこれと同じ機能を有するサドルの支持フレームとの２箇所で荷台フレームを保持することを特徴とする自転車の荷台。
【請求項２】
上記２箇所の荷台フレーム用保持部品のうちシートポスト側部品は上下に移動し，サドルレール側保持部品は挟んだ荷台フレームをスライドさせ任意の位置で固定出来るように工夫してあるのでこの２つの保持部品の移動する位置関係に依って荷台フレームの上下角度が変えられることを特徴とする自転車の荷台。
【請求項３】
請求項１，２に係る保持部品に依って保持される荷台フレームの形状はロードレーサー、小径車等の自転車の機種やサイクリング時に携帯する装備の必要性に合わせて曲線形状を変化させたフレームに差し替えられることを特徴とする自転車の荷台。
【発明の詳細な説明】
【技術分野】
【０００１】本発明はスポーツ自転車、小径車のデザインを損なわず，且つ軽量で有用なサイクリングに使用する自転車の荷台に関する。
【背景技術】
【０００２】従来の自転車に取り付ける荷台の荷重構造は荷台と後部車軸とを連結した重量を支えるための縦フレームと荷台を車体に連結して前後揺れを抑えるための横フレームの２方向から成り立っている。
しかしスポーツ車は軽量とデザインを優先するために実用車に付ける縦フレーム付きの荷台は通常使用しない。
同様に現在流行している折り畳み式の小径車は折りたたみを優先するので収納の障害となる一般の荷台は使用しない。
現在スポーツ車や折りたたみ小径車にはシートポストにアダプターを取り付けて荷台フレームと接続するか、シートポストに接続したフレームを介してバックを取り付ける方法が用いられている。
仮にバックをアダプターから外してもフレームごと持ち歩かなければ成らなかった。
【発明の開示】
【課題が解決しようとする課題】
【０００３】前述シートポスト１個所にフレームを接続する従来の方法はフレームに架かる重量が全てシートポストに接続する１点に集中するため重量は軽い物に制限されていた。
上記１点に接続する方法は使用中にシートポストの留め具が緩んで滑落する、重量の影響でフレームが垂れ下がり荷物が後ろタイヤに擦れてしまう等の欠点が有った。
また小径車においては特徴とする折りたたみの障害となるため従来型の荷台を使用することはない。
【問題を解決するための手段】
【０００４】本発明は荷台のフレームを自転車の車体に２箇所で保持するものである。
すなわち荷台となるフレーム１をスプーンの外枠形状に曲げこの楕円形部分に携行品を入れる為のネット、バック、ボトルホルダー等携行品を入れるための収納部品を取り付ける。
反対側になる２本のフレームの断面が有る方側にはシートポスト保持部品に固定する為のボルトを通す穴が形成されている。この穴形状はシートポスト保持部品とボルトによって固定される。
フレームの穴の有る側より中心寄りに２段の挟み構造を持つシートレール固定部品を装着し、上段部分をサドルのシートレールに固定する。  一方の下段部分で荷台フレームを挟んで移動させ任意の位置で固定する。
【発明の効果】
【０００５】本発明の荷台はロードレーサーや小径車に良く似合うデザインというだけで無く、従来の荷台を有しない自転車で背負っていたデイパックをフレームに張ったネットの中に入れて移動することが出来る。  夏の暑い日にデイパックを背負って自転車を漕ぐ煩わしさから開放される。
また近年流行の折りたたみ小径車を輪行袋に入れて鉄道旅行をするサイクルトラベルではフレームを折りたたみ車体に重ねて輪行袋におさめて移動することが出来る。
到着駅から自転車に乗り換えた時、従来自転車を収納してきた輪行袋や手回り品を携行する場所が無かったが、本荷台は漕ぎ手の身に着けることなく手元に水筒、携帯電話、輪行袋等ツーリングに合わせて装備を置くことが出来る。
ボトルの置く場所さえ無かった小径車には極めて有効である。
【発明を実施するための最良の形態】
【０００６】以下、本発明の実施の形態に係る自転車の荷台を図面に沿って説明する。
荷台となるフレーム１は例えばクロモリ、硬度の有るジュラルミン、カーボン素材のチューブラー又はソリッド材等適宜強度を考慮して携行品を入れる為のリング形状やボトルホルダーがセット出来るヘアピン形状にベンデングする。
フレームの穴加工の有る方側から中心寄りにシートレール保持部品３の下段挟み口を荷台フレームに通して一方の上段挟み口をシートレールにセットする。
同様に荷台フレーム１の穴加工２個にボルト５を通して緩衝スリーブ１４を内蔵したシートポスト保持部品２の両穴と重ねて締め荷台フレーム１とシートポスト保持部品２を係留する。
荷台フレームの適正な高さでボルト５を増し締めしてシートポストに固定する。  この高さに合わせてシートレール保持部品の下段の荷台フレーム挟みネジを増し締めして荷台フレームをシートレール４に固定する。
リング形状にベンデングした部分に携行品を収納する為のネット６や、バック１１、ボトルホルダー等を取り付ける。
【実施例】
【０００７】
【図面の簡単な説明】
【０００８】
【図１】荷台フレームの側面図である
【図２】荷台フレームの上面図である
【図３】シートポスト保持部品の分解斜視図である
【図４】シートレール保持部品のＡ−Ａ′断面図である
【図５】荷台フレームに脱着式バックを取り付けた図である
【図６】小径車に荷台フレームを付け装備品を備えた図である
【符号の説明】
【０００９】１．  荷台フレーム
２．  シートポスト保持部品
３．  シートレール保持部品
４．  シートレール
５．  フレームの脱着ボルト
６．  フレームに取り付けた荷受カゴ
７．  収納時のザック
８．  ボトルホルダー
９．  ボトル
１０．脱着式ポーチ
１１．脱着式バック
１２．サドル
１３．シートポスト
１４．緩衝スリーブ
【図１】
2010137834.tif 000003
【図２】
2010137834.tif 000004
【図３】
2010137834.tif 000005
【図４】
2010137834.tif 000006
【図５】
2010137834.tif 000007
【図６】
2010137834.tif 000008